(57)【要約】      （修正有）【課題】簡単な操作で針先が露出させない安全状態とできる誤刺防止装置等を提供する。【解決手段】誤刺防止装置は、注射針１の針基２に装着される本体部１０と、注射針１を挿通するための挿通口２２を開口し、注射針１の延長方向に沿って摺動自在に連結されたカバー部２０と、カバー部２０を注射針１の先端に突出するよう付勢する弾性体３０と、弾性体３０の付勢に抗してカバー部２０を本体部１０側に保持するためのロック機構４０と、ロック機構のロック状態を手動で解除するためのロック解除部とを備える。ロック機構４０を解除すると、弾性体３０によりカバー部２０を針先端に向かって突出させ、注射針１の先端部分をカバー部２０で覆う安全状態とする。また弾性体３０がロック機構４０により収縮されカバー部２０が本体部１０側に保持される使用状態では、カバー部２０と本体部１０との間に収納されている。【選択図】図１
0003108721.tif 000002
【実用新案登録請求の範囲】
【請求項１】
注射針を備える医療器具に装着されて使用される誤刺防止装置であって、
注射針の針基に装着される本体部と、
注射針を挿通するための挿通口を開口すると共に、該挿通口に注射針を挿通した状態で注射針の延長方向に沿って摺動自在に連結されたカバー部と、
前記本体部とカバー部とを連結すると共に、前記カバー部を注射針の先端に突出するよう付勢する弾性体と、
前記弾性体の付勢に抗して前記カバー部を前記本体部側に保持してロック状態とするためのロック機構と、
前記ロック機構のロック状態を手動で解除するためのロック解除部と、
を備えており、
前記ロック機構を解除することで、弾性体の付勢力により前記カバー部を本体部側から注射針先端に向かって突出させ、注射針を挿通口から押し出すと共に注射針の先端部分をカバー部で覆う安全状態とし、
かつ前記弾性体が前記ロック機構により収縮され前記カバー部が前記本体部側に保持される使用状態で、前記カバー部と本体部との間に収納されてなることを特徴とする誤刺防止装置。
【請求項２】
請求項１に記載の誤刺防止装置であって、
前記カバー部が、前記本体部と対向する面に本体部を挿入可能な開口端を開口し、該開口端の中心と偏心させた位置に前記挿通口を形成してなることを特徴とする誤刺防止装置。
【請求項３】
請求項１又は２に記載の誤刺防止装置であって、
前記カバー部が、安全状態において注射針の針先を収納するための針ポケット部を突出させてなることを特徴とする誤刺防止装置。
【請求項４】
請求項１から３のいずれかに記載の誤刺防止装置であって、
前記ロック解除部が、先端をフック状に構成された部材を備え、かつ該フック状先端を係止位置と係止解除位置に切り替え可能であり、
一方前記ロック機構が、前記本体部と前記カバー部との間で前記ロック解除部と対向する位置に、フック状を係止可能な係止部を設けてなり、
前記フック状先端を前記係止部に係止する係止位置とすることで、前記弾性体の付勢力に抗して前記カバー部を本体部に保持するロック状態とでき、
前記フック状先端を係止部との係止状態をを解除する係止解除位置とすることで、ロック状態を解除するよう構成されてなることを特徴とする誤刺防止装置。
【請求項５】
請求項４に記載の誤刺防止装置であって、
前記係止部が、前記カバー部の側面に形成された鍔であり、
前記フック状が、前記本体部の側面から前記カバー部の界面まで延長され、前記鍔の上端を係止可能な段差部を形成した鍔係止片であり、
前記鍔係止片は弾性部材で形成され、前記鍔係止片を弾性的に変形させることで段差部と鍔の係止状態を解除するよう構成されてなることを特徴とする誤刺防止装置。
【請求項６】
請求項１から５のいずれかに記載の誤刺防止装置であって、
前記カバー部は内部に保護板を備えてなり、
前記カバー部が押し出されて挿通口から注射針が抜けると、前記保護板が注射針の先端に対向して末広がりに開放して、針先を覆うように構成されてなることを特徴とする誤刺防止装置。
【請求項７】
請求項１から６のいずれかに記載の誤刺防止装置であって、
使用状態において、注射針が前記カバー部の挿通口から２７ｍｍ以上突出することを特徴とする誤刺防止装置。
【請求項８】
請求項１から７のいずれかに記載の誤刺防止装置であって、
前記弾性体が、前記カバー部の端部で本体部と面する側の周囲に配置してなることを特徴とする誤刺防止装置。
【請求項９】
医療器具に装着されて使用される誤刺防止機能付注射針であって、
注射針と、
前記注射針の針基に装着される本体部と、
前記注射針を挿通するための挿通口を開口すると共に、該挿通口に前記注射針を挿通した状態で前記注射針の延長方向に沿って摺動自在に連結されたカバー部と、
前記本体部とカバー部とを連結すると共に、前記カバー部を前記注射針の先端に突出するよう付勢する弾性体と、
前記弾性体の付勢に抗して前記カバー部を前記本体部側に保持するためのロック機構と、
を備えており、
前記ロック機構を解除することで、弾性体の付勢力により前記カバー部を本体部側から前記注射針先端に向かって突出させ、前記注射針を挿通口から押し出すと共に前記注射針の先端部分をカバー部で覆う安全状態とし、
かつ前記弾性体が前記ロック機構により収縮され前記カバー部が前記本体部側に保持される使用状態で、前記カバー部と本体部との間に収納されてなることを特徴とする誤刺防止機能付注射針。
【請求項１０】
誤刺防止機能付注射針を備える医療器具であって、
医療器具に固定される注射針と、
前記注射針の針基に装着される本体部と、
前記注射針を挿通するための挿通口を開口すると共に、該挿通口に前記注射針を挿通した状態で前記注射針の延長方向に沿って摺動自在に連結されたカバー部と、
前記本体部とカバー部とを連結すると共に、前記カバー部を前記注射針の先端に突出するよう付勢する弾性体と、
前記弾性体の付勢に抗して前記カバー部を前記本体部側に保持するためのロック機構と、
を備えており、
前記ロック機構を解除することで、弾性体の付勢力により前記カバー部を本体部側から前記注射針先端に向かって突出させ、前記注射針を挿通口から押し出すと共に前記注射針の先端部分をカバー部で覆う安全状態とし、
かつ前記弾性体が前記ロック機構により収縮され前記カバー部が前記本体部側に保持される使用状態で、前記カバー部と本体部との間に収納されてなることを特徴とする誤刺防止機能付注射針。
【考案の詳細な説明】
【技術分野】
【０００１】
本考案は、人体に穿刺する針に取り付ける誤刺防止装置及び誤刺防止機能付注射針並びに誤刺防止機能付注射針を備える医療器具に関する。
【背景技術】
【０００２】
従来より、使用済み注射針を看護婦や医師等の医療従事者が自分に刺して、肝炎やエイズ等に感染してしまう、いわゆる「針刺し」が問題となっている。このような背景から医療従事者の安全のため「針刺し事故防止機構のついた鋭利器材」が強く求められている。このような器材としては従来、使用後の注射針の先端を覆うプラスチック製のキャップが利用されていた。しかしながら、このキャップの取り付けは作業者が指で行うため、針に付着している血液が人体に付いたり、あるいはキャップを取り付けようとして誤って指先が針先に触れてしまうといった汚染・誤刺の問題が依然としてあり、使用後の針を廃棄処理するには多大な手間を要するという問題があった。
【０００３】
そこで近年、手動でキャップを被せる仕様に代わって、使用後に針全体を自動的に覆うプロテクタが開発されている。例えば、特許文献１に記載される感染防止用注射針９０は、図５に示すように蛇腹状の筒体９２で注射針９１の全体を覆い、使用時には筒体９２が収縮して穿刺が可能となる。しかしながら、この構成では使用後の注射針を他者に誤って再使用してしまう問題があった。
【０００４】
これに対して、特許文献２及び３に記載されるように、穿刺後に針を再び覆う部材の針先側に、針を２度以上通さない構成を有した注射針が開発されている。特許文献２に示す保護装置９３は、図６に示すようにベロー部９４で針の全体を覆うと共に、先端に通孔９５を開口している。しかしながら、特許文献２の構成では、穿刺前にも針先がベロー部９４によって覆われているため、針先が視認し難く、穿刺時に狙いを定めるのが困難で使い難いという問題があった。また特許文献３に示す注射器プロテクタ９６は、図７に示すように形状記憶合金製ワイヤ９７で注射器プロテクタ本体９８を移動させるものであるが、使用状態でこのワイヤ９７が側面に環状に突出するため、この部分が当接しないように使用する必要があり注射器の角度が制限され、またサイズが大きくなるため保管の際にスペースを要する、さらに環状部分が引っ掛かりやすくなる、露出したワイヤが包装時や搬送時に他のものに触れて誤作動したり破損するおそれがあるといった、取り扱い上の不利な問題があった。また一方で、他者に対する再使用でなく、同一人に対して穿刺してから血管を探したり、穿刺ミス等のため穿刺のやり直しを行うことは医療現場では通常行われることであり、このような場合にも上記特許文献の構成では穿刺後、プロテクタが自動的に針全体を覆うため二度目の穿刺もしづらいという問題があった。
【特許文献１】特開平８−１８２７６１号公報
【特許文献２】特開平６−１５００２号公報
【特許文献３】特開２００１−７９０８５号公報
【考案の開示】
【考案が解決しようとする課題】
【０００５】
本考案は、従来のこのような問題点を解決するためになされたものである。本考案の主な目的は、簡単な操作で針先が露出しないようにでき、かつコンパクトで扱いの容易な誤刺防止装置及び誤刺防止機能付注射針並びに誤刺防止機能付注射針を備える医療器具を提供することにある。
【課題を解決するための手段】
【０００６】
上記の目的を達成するために、本考案の第１の側面に係る誤刺防止装置は、注射針を備える医療器具に装着されて使用される誤刺防止装置であって、注射針の針基に装着される本体部と、注射針を挿通するための挿通口を開口すると共に、該挿通口に注射針を挿通した状態で注射針の延長方向に沿って摺動自在に連結されたカバー部と、本体部とカバー部とを連結すると共に、カバー部を注射針の先端に突出するよう付勢する弾性体と、弾性体の付勢に抗してカバー部を本体部側に保持してロック状態とするためのロック機構と、ロック機構のロック状態を手動で解除するためのロック解除部とを備えており、ロック機構を解除することで、弾性体の付勢力によりカバー部を本体部側から注射針先端に向かって突出させ、注射針を挿通口から押し出すと共に注射針の先端部分をカバー部で覆う安全状態とし、かつ弾性体がロック機構により収縮されカバー部が本体部側に保持される使用状態で、カバー部と本体部との間に収納されている。この構成により、注射針の使用後にロック機構を解除して注射針先端をカバー部で覆い針刺し事故を防止すると共に、使用前の状態では弾性体が外部に突出しないので、外形をコンパクトにして保管や取り扱いの容易にできる利点が得られる。また、使用者が自らの意志でロック解除部を操作してロック状態を解除し注射針を保護できるため、穿刺ミスによる穿刺し直しの際には複数回の穿刺を可能とし、穿刺終了後にロック解除部を操作してロック状態を解除し、安全状態に移行させることができ、注射針を無駄なく利用できる。
【０００７】
また本考案の第２の側面に係る誤刺防止装置は、カバー部が、本体部と対向する面に本体部を挿入可能な開口端を開口し、該開口端の中心と偏心させた位置に挿通口を形成している。これにより、注射針の使用後にカバー部を針先の前方に突出させた状態で、再度カバー部を本体部側に押し戻す力が作用しても、針先が挿通口を通り難くなるため、針先がカバー部から突出するおそれを極減できる。
【０００８】
さらにまた本考案の第３の側面に係る誤刺防止装置は、カバー部が、安全状態において注射針の針先を収納するための針ポケット部を突出させている。これにより、カバー部から突出された針ポケット部に注射針の先端を収納でき、より安全に針先を保護できる。
【０００９】
さらにまた本考案の第４の側面に係る誤刺防止装置は、ロック解除部が、先端をフック状に構成された部材を備え、かつ該フック状先端を係止位置と係止解除位置に切り替え可能であり、一方ロック機構が、本体部とカバー部との間でロック解除部と対向する位置に、フック状を係止可能な係止部を設けてなり、フック状先端を係止部に係止する係止位置とすることで、弾性体の付勢力に抗してカバー部を本体部に保持するロック状態とでき、フック状先端を係止部との係止状態をを解除する係止解除位置とすることで、ロック状態を解除するよう構成されている。この構成により、ロック解除部を操作して簡単にロック状態を解除でき、確実にカバー部を突出させて安全状態に切り替えることができる。例えば、フック状が本体部に設けられた回動軸を中心に回動自在に固定され、係止部がカバー部の側面でフック状と対向する位置に突出された凸状係止部である場合、回動軸を中心にロック解除部を回動させる操作によってロック状態を簡単かつ確実に解除できる。
【００１０】
さらにまた本考案の第５の側面に係る誤刺防止装置は、係止部が、カバー部の側面に形成された鍔であり、フック状が、本体部の側面からカバー部の界面まで延長され、鍔の上端を係止可能な段差部を形成した鍔係止片であり、鍔係止片は弾性部材で形成され、鍔係止片を弾性的に変形させることで段差部と鍔の係止状態を解除するよう構成されている。この構成により、鍔係止片を操作して鍔と段差部との係止状態を解除して簡単にロック状態を解除でき、確実にカバー部を突出させて安全状態に切り替えることができる。
【００１１】
さらにまた本考案の第６の側面に係る誤刺防止装置は、カバー部は内部に保護板を備えてなり、カバー部が押し出されて挿通口から注射針が抜けると、保護板が注射針の先端に対向して末広がりに開放して、針先を覆うように構成されている。この構成により、注射針の使用後にさらに保護板で注射針の先端を保護できるため、カバー部に加えて保護部で針先の鋭利な先鋭部分を確実に保護でき、安全性を向上できる利点が得られる。
【００１２】
さらにまた本考案の第７の側面に係る誤刺防止装置は、さらに使用状態において、注射針がカバー部の挿通口から２７ｍｍ以上突出する。この構成によって、注射針の長さをある程度確保し、誤刺防止機能を付加したまま注射針の穿刺作業を容易に行うことができる。
【００１３】
さらにまた本考案の第８の側面に係る誤刺防止装置は、カバー部の端部で本体部と面する側の端部の周囲に、弾性体を配置している。
【００１４】
さらにまた本考案の第９の側面に係る誤刺防止機能付注射針は、医療器具に装着されて使用される誤刺防止機能付注射針であって、注射針と、注射針の針基に装着される本体部と、注射針を挿通するための挿通口を開口すると共に、該挿通口に注射針を挿通した状態で注射針の延長方向に沿って摺動自在に連結されたカバー部と、本体部とカバー部とを連結すると共に、カバー部を注射針の先端に突出するよう付勢する弾性体と、弾性体の付勢に抗してカバー部を本体部側に保持するためのロック機構とを備えており、ロック機構を解除することで、弾性体の付勢力によりカバー部を本体部側から注射針先端に向かって突出させ、注射針を挿通口から押し出すと共に注射針の先端部分をカバー部で覆う安全状態とし、かつ弾性体がロック機構により収縮されカバー部が本体部側に保持される使用状態で、カバー部と本体部との間に収納されている。この構成により、注射針の使用後にロック機構を解除して注射針先端をカバー部で覆い針刺し事故を防止すると共に、使用前の状態では弾性体が外部に突出しないので、外形をコンパクトにして保管や取り扱いの容易にできる利点が得られる。
【００１５】
さらにまた本考案の第１０の側面に係る誤刺防止機能付注射針を備える医療器具は、医療器具に固定される注射針と、注射針の針基に装着される本体部と、注射針を挿通するための挿通口を開口すると共に、該挿通口に注射針を挿通した状態で注射針の延長方向に沿って摺動自在に連結されたカバー部と、本体部とカバー部とを連結すると共に、カバー部を注射針の先端に突出するよう付勢する弾性体と、弾性体の付勢に抗してカバー部を本体部側に保持するためのロック機構とを備えており、ロック機構を解除することで、弾性体の付勢力によりカバー部を本体部側から注射針先端に向かって突出させ、注射針を挿通口から押し出すと共に注射針の先端部分をカバー部で覆う安全状態とし、かつ弾性体がロック機構により収縮されカバー部が本体部側に保持される使用状態で、カバー部と本体部との間に収納されている。この構成により、注射針の使用後にロック機構を解除して注射針先端をカバー部で覆い針刺し事故を防止すると共に、使用前の状態では弾性体が外部に突出しないので、外形をコンパクトにして保管や取り扱いの容易にできる利点が得られる。
【考案の効果】
【００１６】
本考案の誤刺防止装置及び誤刺防止機能付注射針並びに誤刺防止機能付注射針を備える医療器具は、カバー部のロック状態を簡単に解除でき、カバー部を突出させて確実に安全状態に切り替えて針刺し事故を防止し作業者の安全を確保すると共に、全体をコンパクトにして使用や保管を容易にして扱いやすいという特長を実現する。特に誤刺防止装置は安価な構造で、しかも既存の注射針に誤刺防止機能を付加できるので、極めて実用性は高い。
【考案を実施するための最良の形態】
【００１７】
以下、本考案の実施の形態を図面に基づいて説明する。ただし、以下に示す実施の形態は、本考案の技術思想を具体化するための誤刺防止装置及び誤刺防止機能付注射針並びに誤刺防止機能付注射針を備える医療器具を例示するものであって、本考案は誤刺防止装置及び誤刺防止機能付注射針並びに誤刺防止機能付注射針を備える医療器具を以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
（実施の形態１）
【００１８】
図１に、本考案の実施の形態１に係る誤刺防止装置を、注射針を備える医療器具に装着した状態を示す。図１において、（ａ）は使用状態、（ｂ）は安全状態をそれぞれ示している。この図に示す誤刺防止装置１００は、本体部１０と、注射針１の使用後に針先を保護するためのカバー部２０と、カバー部２０と本体部１０とを連結して注射針１の使用後にカバー部２０を注射針１の先端に向けて押し出すための弾性体３０と、使用時にカバー部２０を本体部１０に保持するためのロック機構４０とを備える。この構成の誤刺防止装置は、使用時すなわち穿刺の際はロック機構４０でカバー部２０を本体部１０側に保持しロック状態とし、使用後にロック状態を解除して弾性体３０でカバー部２０を押し出し、注射針１の先端を保護して針刺し事故を防止する。
【００１９】
またロック機構４０は、ロック状態を手動で解除するためのロック解除部７０を備えている。図１に示すロック解除部７０は、先端を鎌状に折曲したフック状に形成され、後端を本体部１０に回動自在に回動軸で固定されている。さらにカバー部２０側にはフック状先端と対向する位置に、これを係止可能な係止部として凸状係止部７２を設けている。凸状係止部７２はカバー部２０の側面から突出しており、ここにフック状先端を係止することでロック機構４０が構成される。また図１のカバー部２０は、ドーム型のキャップに形成されており、側面の一部にロック解除部７０の回動軸を挿入可能な切り込み２８を形成している。これによって図１（ａ）に示すようにロック解除部７０と凸状係止部７２とを接近でき、ロック解除部７０を小型化して操作し易くしている。このロック解除部７０は、図１（ｂ）に示すように回動軸を中心に回動させてロック状態を解除できるので、作業者の意志で簡単かつ確実に使用状態から安全状態に切り替え可能である。図１の誤刺防止装置１００も、カバー部２０に注射針１を挿通するための挿通口２２を中心から偏心させた位置に開口させ、弾性体３０でカバー部２０を突出させると共に回転させて、挿通口２２への注射針１の再挿通を防止している。
（本体部１０）
【００２０】
本体部１０は、誤刺防止装置１００を注射針１の針基２に装着するための装着機構を備える。装着機構は例えば誤刺防止装置１００を回転して注射器等にねじ込むネジ式、嵌め込み式のスナップ方式等とする。このように本体部１０の装着機構で注射針１に装着可能な構成とすることで、既存の注射器等の注射針を備える医療器具に誤刺防止機能を付加でき、既存設備を有効活用してより安全性を高めて使用することができる。あるいは、注射針と誤刺防止装置とを一体化し、この誤刺防止機能付注射針を注射器その他の医療器具に装着して使用する形態とすることもできる。使用される注射針１は、公知の形態、材質等が利用できる。特に本実施の形態では、従来使用されている３８ｍｍの長さの注射針が使用できる。
【００２１】
図１に示す本体部１０は、全体を円錐のキャップ状に形成し、底面を注射器の先端にセットできる大きさに開口している。また中心に注射針１を通す貫通孔を形成している。なお、誤刺防止装置を注射針１に装着した状態で、注射針１が突出する長さを一定以上確保するように、本体部の大きさ及び形状は設計される。注射針の突出長さが短くなると、穿刺作業が行い難くなるからである。好ましくは、誤刺防止装置を装着した状態で注射針１をカバー部２０の挿通口２２から２７ｍｍ以上突出させる。一般的に使用される３８ｍｍの注射針を使用しても２７ｍｍ以上の突出量を確保するために、本体部１０は注射器等の先端に被せるようにして装着し、底面の中空部分に注射器を挿入させることで注射針の突出量を可能な限り損なわないように構成している。また、予め長めに設計された注射針を使用することもできる。
（カバー部２０）
【００２２】
カバー部２０は、注射針１を挿通する挿通口２２を開口し、ここに注射針１を挿通した状態で注射針１の延長方向に沿って摺動自在に連結されている。カバー部２０と本体部１０との間には弾性体３０が設けられ、弾性体３０の付勢力によってカバー部２０は針先に向かって突出するよう付勢される。カバー部２０は、使用状態においてはロック機構４０により本体部１０の上面にセットされた状態を維持し、弾性体３０の付勢力に抗してこの使用位置に保たれる。また使用後にはロック状態を解除し、安全位置として図１（ｂ）に示すように注射針１の先端まで押し出されて針先を被覆し、この部分が作業者に触れるのを防止する。図１に示すカバー部２０は、下端を開口端とし、この開口端に本体部１０の先端を挿入した状態でロック機構４０によりロック状態に維持される。
（挿通口２２）
【００２３】
またカバー部２０は使用状態において注射針１を挿通するための挿通口２２を形成している。挿通口２２は、使用する注射針に応じて、これを挿通できる大きさ及び形状に形成される。挿通口２２の開口面積は、例えば針の直径に＋０．５ｍｍ程度のマージンを加えた直径とすることで、誤刺防止装置を付加しても容易に注射針を通過させることができ、また挿通口２２から塵等の異物が侵入することも回避できる。
【００２４】
挿通口２２は、好ましくはカバー部２０の中心でなく、中心から偏心した位置に開口する。ここでカバー部２０の中心とは、カバー部２０の開口端の中心とする。中心からずらした位置に注射針１を挿通することで、一端挿通口２２から針先が抜けて安全状態に切り替えられた後、再度意図せず挿通口２２に注射針１が入り込み挿通口２２を介して針先が外部に突出する事態を回避するためである。中心からずれた位置に挿通口２２が開口されておれば、意図せず針先がこの挿通口２２を通ってしまうおそれを低減できる。
【００２５】
なお、弾性体３０の応力によりカバー部２０は本体部１０側に戻らないので、通常は針先は表出しない。万一バネが切れたとしても、注射針１を挿通する挿通口２２が中心からずれた位置に開口されていると、注射針１をカバー部２０の挿通口２２に通し難くなるので、カバー部２０を介して注射針１が突出するおそれを低減できる。
【００２６】
さらにカバー部２０を回転する方向に付勢することで、このような意図しない挿通口２２への針先の再挿入をさらに抑止できる。また回転力を付加すると共に、後述する図２に示すように針ポケット部２４をカバー部２０の中心から離れた円周近傍に設けることで、回転運動により針先を針ポケット部２４に誘導する効果が得られる。
【００２７】
回転力の付勢は、カバー部２０を針先に押し出す弾性体３０で兼用することもできる。これにより、スプリングコイル等を利用して、カバー部２０を回転しながら押し出す力を弾性体３０から付勢し、部品点数を減らし構成を簡素化できる。ただ、カバー部を押し出す弾性体と回転させる弾性体を個別に用意することも可能であることはいうまでもない。
【００２８】
カバー部２０は、針先が簡単に貫通せず、穿刺されない程度の硬度を備えることが望ましい。例えば樹脂やプラスチック製とし、特にポリエチレンやポリプロピレン等の合成樹脂であれば、安価であり所望の形状に成形することが容易であり望ましい。また本体部１０やカバー部２０は、好ましくは透明、半透明といった透光性のある材質で構成することが好ましい。特にカバー部２０に透光性を備えることで、穿刺の際に針基２を視認でき、作業を安全かつ容易に行うことができる。
（弾性体３０）
【００２９】
弾性体３０は、カバー部２０を本体部１０から針先端まで押し出す力を備える。この例では、カバー部２０と本体部１０とを弾性体３０で連結しており、弾性体３０が伸びた状態でカバー部２０が針先を完全に覆うことのできる長さとする。好ましくは、針先を覆う安全位置にあるカバー部２０と本体部１０との距離と伸びた弾性体３０の長さを一致させるよう、最短の長さとする。弾性体３０は、例えば金属製のワイヤースプリングや板状バネ、丸棒状等とする。ステンレス製のコイルスプリングは、バネ性が強く、錆を防止でき機械的動作不良を軽減できるので好ましい。コイルスプリングは収縮された状態で本体部１０の周囲で螺旋状に巻かれ、外部に突出することなくカバー部２０と本体部１０の間に収納される。図１の例では、コイルスプリングは本体部１０の端面上に固定されているが、本体部１０の周囲とカバー部２０との間にコイルスプリングを配置することもできる。これにより、スプリングが表出することなく、誤刺防止装置１００の外形をコンパクトに維持できる。さらにコイルスプリングの中心に注射針１を通すことにより、図１（ｂ）に示すようにカバー部２０を突出させた安全状態では、注射針１の先端をカバー部２０で保護すると共に、注射針１の側面はコイルスプリングで保護でき、作業者が使用済み注射針１に接触し難くできる。加えてコイルスプリングを採用すれば、カバー部２０を回転させる力を同時に作用させることもでき、上述の通り挿通口２２から意図しない表出の抑止することができる。
（実施の形態２）
【００３０】
図２に、本考案の実施の形態２としてカバー部に針ポケット部を形成した実施の形態２に係る誤刺防止装置２００を示す。この図に示すカバー部２０Ｂは、先端の一部に針ポケット部２４を突出させて形成しており、安全位置にカバー部２０Ｂが位置するとき、針ポケット部２４に注射針１Ｂの針先が収納されるように構成される。これにより、収まりよく針先を保護し、安全性を高めることができる。針ポケット部２４の大きさは、使用される針の種類や用途に応じて決定され、針先部分が外部に表出しない長さを確実に被覆できるように設計される。針ポケット部２４は、好ましくは十分な強度を備えるようにカバー部２０Ｂよりも硬度を高める。例えば針ポケット部の内面に金属板を配置あるいはカバー部と一体成形する。これにより、針先が針ポケット部を貫通して表出するおそれを極減できる。図１の誤刺防止装置１００も、カバー部２０Ｂに注射針１Ｂを挿通するための挿通口２２Ｂを中心から偏心させた位置に開口させ、弾性体３０Ｂでカバー部２０Ｂを突出させると共に回転させて、挿通口２２Ｂへの注射針１Ｂの再挿通を防止している。またカバー部２０Ｂを透光性部材とすることで、穿刺の際に針基２Ｂを視認でき、作業を安全かつ容易に行うことができる。さらにロック解除部７０Ｂは、先端を鎌状に折曲したフック状に形成され、後端を本体部１０Ｂに回動自在に回動軸で固定され、一方カバー部２０Ｂ側にはフック状先端と対向する位置に、これを係止可能な係止部として凸状係止部７２Ｂを設けている。凸状係止部７２Ｂはカバー部２０Ｂの側面から突出しており、ここにフック状先端を係止することでロック機構が構成される。その他の構成も、図１の同様の構成が採用できる。
（実施の形態３）
【００３１】
さらに図３〜図４に、本考案の実施の形態３に係る誤刺防止装置の断面図を示す。図３は、使用状態と、カバー部２０Ｃが波線で示す安全位置に移動された安全状態とを示す断面図であり、図４はカバー部２０Ｃが安全状態に移行して保護板８０が解放される状態を連続的に示す断面図である。これらの図に示す誤刺防止装置３００は、ロック機構４０Ｃとしてカバー部２０Ｃの側面に鍔２９を形成し、ロック解除部７０Ｃとして本体部１０Ｃにこの鍔２９を係止する段差部７６を形成した鍔係止片７４を形成している。鍔２９は、好ましくはカバー部２０Ｃの側面に沿って一周するように形成される。また鍔係止片７４は、鍔２９の上端に段差部７６を引っかけてカバー部２０Ｃが飛び出さないように係止している。鍔係止片７４は弾性変形するプラスチック等の部材で形成され、外側に弾性変形させて係止状態を解除し、ロック状態を解除できる。このため鍔係止片７４は、外側にボタン状操作部７８を形成し、作業者はこのボタン状操作部７８を手前に起こすことにより簡単にロック状態を解除できる。ロック状態を解除されたカバー部２０Ｃは、弾性体３０Ｃであるコイルスプリングによって針先に突出する。弾性体３０Ｃは、カバー部２０Ｃの後端開口部の周囲に配置される。これによってカバー部２０Ｃのぐらつきが抑えられ、注射針１Ｃがカバー部２０Ｃから外れることが防止される。
（保護板８０）
【００３２】
さらにこの誤刺防止装置３００は、カバー部２０Ｃ内部に注射針１Ｃの針先を保護する保護板８０を備えている。保護板８０は鋭利な針先がカバー部２０Ｃを貫通することを阻止する。図３の例では、保護板８０はＶ字状に折曲され、Ｖ字が開く方向に付勢された板バネで、安全状態になると板バネを開いてＶ字状の谷間に針先を位置させてこれを保護する。板バネは、針先で貫通されない十分な強度として、好ましくはステンレス等の金属製とする。また、上記実施の形態１と同様に、挿通口２２Ｃをカバー部２０Ｃの中心から偏心した位置に開口できる。
【００３３】
図４に、保護板８０の動作を説明する。図４（ａ）〜（ｄ）はロック解除部７０を操作して使用状態から安全状態に移行する状態を連続的に示している。図４（ａ）は、誤刺防止装置３００の使用状態を示している。この位置では、保護板８０はカバー部２０Ｃの内壁と注射針１Ｃに遮られてＶ字状に維持され、開かれない。この状態から、ボタン状操作部７８を手前に倒して段差部７６を上昇させ、鍔２９との係止状態を解除する。すると図４（ｂ）に示すようにカバー部２０Ｃと本体部１０Ｃとのロック状態が解除されて、カバー部２０Ｃが針先に向かって突出する。そして図４（ｃ）のようにカバー部２０Ｃの挿通口２２Ｃから針先が抜けると、針先とカバー部２０Ｃ内壁との間で阻害されていた保護板８０の制限が無くなり、保護板８０のＶ字が開く。保護板８０は図４（ｄ）に示すように９０°程度開いた状態となり、この開放部分で針先の先端を保護する。また保護板８０が開かれることによって挿通口２２Ｃを閉塞し、注射針１Ｃの再挿通を防止できる。この状態では、弾性体３０Ｃが伸びきって逆方向の本体部１０Ｃ側にカバー部２０Ｃが戻ろうとしたり、外力によってカバー部２０Ｃが本体部１０Ｃ側に押圧されても、図４（ｄ）のように、開いた保護板８０で注射針１Ｃの先端を覆い表出が阻止される。
【産業上の利用可能性】
【００３４】
本考案の誤刺防止装置及び誤刺防止機能付注射針並びに誤刺防止機能付注射針を備える医療器具は、使用済み注射針の針刺し事故を防止する機能を注射器等に付加して好適に使用できる。
【図面の簡単な説明】
【００３５】
【図１】本考案の実施の形態１に係る誤刺防止装置を示す側面図である。
【図２】本考案の実施の形態２に係る誤刺防止装置を示す側面図である。
【図３】本考案の実施の形態３に係る誤刺防止装置を示す断面図である。
【図４】図３の誤刺防止装置が使用状態から安全状態に移行する様子を示す側面断面図である。
【図５】従来の感染防止用注射針の一例を示す断面図である。
【図６】従来の感染防止用注射針の他の例を示す断面図である。
【図７】従来の感染防止用注射針の他の例を示す断面図である。
【符号の説明】
【００３６】
１００、２００、３００…誤刺防止装置
１、１Ｂ、１Ｃ…注射針
２…針基
１０、１０Ｂ、１０Ｃ…本体部
２０、２０Ｂ、２０Ｃ…カバー部
２２、２２Ｂ、２２Ｃ…挿通口
２４…針ポケット部
２８…切り込み
２９…鍔
３０、３０Ｃ…弾性体
４０、４０Ｃ…ロック機構
７０、７０Ｂ、７０Ｃ…ロック解除部
７２、７２Ｂ…凸状係止部
７４…鍔係止片
７６…段差部
７８…ボタン状操作部
８０…保護板
９０…感染防止用注射針
９１…注射針
９２…筒体
９３…保護装置
９４…ベロー部
９５…通孔
９６…注射器プロテクタ
９７…形状記憶合金製ワイヤ
９８…注射器プロテクタ本体
【図１】
0003108721.tif 000003
【図２】
0003108721.tif 000004
【図３】
0003108721.tif 000005
【図４】
0003108721.tif 000006
【図５】
0003108721.tif 000007
【図６】
0003108721.tif 000008
【図７】
0003108721.tif 000009